(57)【特許請求の範囲】
【請求項１】
内部に収納室を形成している外郭ボディと、
前記ボディ内の収納室の対向する側壁面間に亘って配置され、コイル部と、このコイル部の両端に設けられた第１及び第２の可動接触部とを有するコイルスプリングと、
前記ボディに回動自在に支点が支持され、前記収納室内に位置する一端が前記コイル部に当接しており、自由状態時に該コイル部の弾性力によって押し上げられることにより他端が前記ボディの開口を通して前記ボディ外へ突出し、該他端がスイッチ動作時の操作部となる押し釦と、
前記収納室の対向する側壁面から突出して設けられた第１及び第２の導電部を有し、該第１の導電部は、自由状態時には前記コイルスプリングの第１の可動接触部と非接触であり、スイッチ動作時に前記押し釦の操作部が押下されることによって前記コイルスプリングが移動してその第１の可動接触部と接触し、該第２の導電部は、前記コイルスプリングの第２の可動接触部と常時接触している端子とを備えた小型スイッチにおいて、
前記ボディは、その両側面に前記押し釦の支点軸を回動自在に支持するための円弧縁と直線縁とから成る略半円形の孔を有し、この孔は、該ボディの開口の端縁近傍に、前記直線縁が該端縁に近接し、前記円弧縁が該端縁から離れる方向に形成されており、
前記押し釦の支点軸は、該押し釦の両側面に前記略半円形の孔と同軸に形成されており、前記略半円形の孔より開き角度が小さい、扇形の第１の凸部を有し、この扇形の凸部を前記略半円形の孔に嵌合させることにより構成されていることを特徴とする小型スイッチ。
【請求項２】
前記押し釦は、前記ボディの略半円形の孔と同軸に形成された円形の第２の凸部をさらに有し、かつ、前記扇形の第１の凸部は前記第２の凸部上に形成されており、
前記ボディは、該ボディに形成された略半円形の孔に連続する内面に、前記第２の凸部が嵌合される凹部を有していることを特徴とする請求項１記載の小型スイッチ。
【請求項３】
前記押し釦の支点軸としての第１の凸部は、該凸部を前記ボディの略半円形の孔に嵌合させるときに、嵌合動作に伴って該ボディの開口を拡げうるように、該凸部の端面にテーパー面を有していることを特徴とする請求項１記載の小型スイッチ。
【請求項４】
前記押し釦は、その支点軸から離れた位置で該押し釦の位置決めが行えるように、該支点軸から延設された第１のストッパーを有し、
前記ボディは、前記コイルスプリングの付勢によってオフ方向に回動される前記押し釦の第１のストッパーが当接され、該押し釦の自由状態での位置決めを行う、該ボディに形成された第２のストッパーを有していることを特徴とする請求項１記載の小型スイッチ。
【請求項５】
前記第１のストッパーは、前記押し釦の支点軸から延設されたアームであり、
前記第２のストッパーは、前記収納室内に突設され、前記アームを当接させることを特徴とする請求項４記載の小型スイッチ。
【請求項６】
前記第１のストッパーは、前記押し釦の枢支点の反対側の端面から突出した突起であり、前記第２のストッパーは、前記ボディの端部内壁面に突設され、前記突起を当接させることを特徴とする請求項４記載の小型スイッチ。
【請求項７】
前記第１のストッパー又は第２のストッパーのいずれかに弾性を持たせたことを特徴とする請求項４記載の小型スイッチ。
【請求項８】
前記第１のストッパーは、該押し釦の両側面の略中央に、前記ボディの開口方向に開くように形成された凹部であり、
前記第２のストッパーは、該ボディの両側内壁面に突設され、前記凹部に嵌入する凸部であることを特徴とする請求項４記載の小型スイッチ。
【請求項９】
前記第１のストッパーは、該押し釦の両側面の略中央に、前記ボディの両側内壁面に向かって形成された凸部からなり、
前記第２のストッパーは、該ボディの両側内壁面に形成され、前記凸部が嵌入するスリットの端部であり、前記スリットの端部に前記凸部が当接することを特徴とする請求項４記載の小型スイッチ。
【発明の詳細な説明】
【技術分野】
【０００１】
本発明は、電気接点の開閉を行う小型のスイッチに関するものである。
【背景技術】
【０００２】
従来の２操作方向のマイクロスイッチに代表される小型スイッチは、一般的に、外郭を形成するボディに押し釦の支点が支持された構造を有し、押し釦を操作することによるその回転方向の動きがボディ内に設けられたばね又はスプリングを動かし、スイッチ接点の開閉を行う（例えば、特開平１０−１８８７２６号公報参照）。
【０００３】
このような小型スイッチを用いる場合、最も使い易いスイッチの条件は、同一サイズであれば、押し釦のストローク（接点がオンしてから押し切るまでのストローク）の長いスイッチが使い易い。そこで、押し釦の支点はボディの最も端部に設けられ、押し釦の操作部（押下部）は、支点とは反対側に設けられる。押し釦はボディ内に組み込まれ、押し釦の支点は位置決めされる。この位置決めの一つの方法は、押し釦の支点部分をボディの開口端縁に設けた凹部に位置させ、ボディの開口に固定金具を固定して、押し釦を抜け止めする（第１の方法）。その他の方法としては、押し釦の支点部分をボディ側面に設けた孔に嵌合させる（第２の方法）。
【０００４】
ＦＩＧ．１５（ａ）（ｂ）（ｃ）を参照して、前記第１の方法が適用された小型スイッチの構造を説明する。このスイッチは、外郭を形成するボディ１と、その開口８より内部空間である収納室３内に装入されている押し釦２と、コイルスプリング４と、端子５ａ，５ｂと一体の第１及び第２の導電部１０ａ，１０ｂから成る。押し釦２は、その支点軸２６を、ボディ１の開口端縁に設けた軸受け２５ａに回動自在に支持させ、固定用のカバー金具２１が開口８を覆うように取り付けられる。このカバー金具２１は、ボディ１の外壁に形成した凹部２１ａに嵌まり込み、位置決めされる。
【０００５】
第１の導電部１０ａ及び第２の導電部１０ｂは、収納室３の対向する側壁面に各々設けられ、ボディ１の外部に突出している端子５ａ，５ｂと各々一体形成されている。導電部１０ａ，１０ｂの収納室３内の一端は下方に折り曲げられ、第１の導電部１０ａの根元部は絶縁部１２で覆われている。
【０００６】
コイルスプリング４は、コイル部４ｃと、そのコイル部４ｃのばね線材の両端を延長してコイル部４ｃの軸方向に各々折り曲げられた第１の可動接触部４ａ及び第２の可動接触部４ｂとからなる。押し釦２が押下されていない自然状態時には、第１の可動接触部４ａは、第１の導電部１０ａとは接触することなく、絶縁部１２上に乗るように配設される。第２の可動接触部４ｂは第２の導電部１０ｂ上に常時接触している。この構成により、自然状態時には、端子５ａ，５ｂ間は導通しておらず、スイッチはオフ状態となっている。
【０００７】
このような構成において、押し釦２は、押下部２ａが押下されると、軸２６の中心を枢支点として回動し、コイルスプリング４のコイル部４ｃに当接して、コイル部４ｃを収納室３の下方に押し付ける。それに伴い、コイルスプリング４は捩じられながら、コイル部４ｃが収納室３の下方に移動する。破線で示す押し釦２’の状態まで回動すると、コイルスプリング４の第１の可動接触部４ａは、絶縁部１２を乗り越えて、第１の導電部１０ａの折り曲げられた傾斜片にコイルスプリング４の捩じりの復帰力によって押し付けられる。第２の可動接触部４ｂも、第２の導電部１０ｂの折り曲げられた傾斜片にコイルスプリング４の捩じりの復帰力によって押し付けられる。こうして、押し釦２が押下されることによって、端子５ａ，５ｂ間がコイルスプリング４を介して導通され、スイッチはオン状態となる。
【０００８】
押し釦２への押下力が解除されると、押し釦２は、コイルスプリング４の捩じりの復帰によって上方に押し上げられ、押下部２ａをボディ１の外部に突出させる。コイルスプリング４の第１の可動接触部４ａは絶縁部１２上に乗り上げて再び絶縁部１２と接触する。第２の可動接触部４ｂは、導電部１０ｂ上の元の位置（平坦部）に戻る。
【０００９】
次に、ＦＩＧ．１６（ａ）（ｂ）（ｃ）を参照して、前記第２の方法が適用された小型スイッチの構造を説明する。このスイッチは、押し釦２の軸２６をボディ１の側面に設けた軸孔２５に嵌合させている。押し釦２の自由位置の位置決めは、軸２６の近傍に形成された押し釦側ストッパー６が、ボディ側ストッパー７に当接することによって行われる。その他の構成、動作は、前記ＦＩＧ．１５（ａ）（ｂ）（ｃ）に示したものと同様であり、同一の構成には同一の符号を付して説明は省略する。
【００１０】
ところで、前記ＦＩＧ．１５（ａ）（ｂ）（ｃ）に示したように、押し釦２を組み込んだ後、固定用のカバー金具２１で固定する場合は、押し釦２は、ボディ１の最端部に支点となる軸受け２５ａを形成することができるため、この軸受け２５ａからボディ１の底面までの長さｈ１を長くすることができる。その結果、ＦＩＧ．１７に示すように、軸受け２５ａとボディ１の底面との長さをｈ１とすると、押し釦２を押下した際、押し釦２のストロークｓ１を長くすることができる。しかし、固定用のカバー金具２１が必要であり、コスト、組立工数が増加するという問題があった。
【００１１】
また、前記ＦＩＧ．１６（ａ）（ｂ）（ｃ）に示したように、押し釦２の支点となる軸２６をボディ１の側面の軸孔２５に嵌合させて組み込む場合は、ボディ１の開口端面から下がった位置に軸孔２５を設ける必要があるので、前者の構成に比べて、押し釦２の軸２６は下方になり、軸２６からボディ１の底面までの長さｈ２が短くなる。その結果、ＦＩＧ．１７に示すように、この場合の軸２６（ここでは２６´と記す）とボディ１の底面との長さをｈ２とすると、押し釦２（ここでは２´と記す）を押下した際、押し釦２´のストロークｓ２は短くなり、使いにくくなるという問題があった。
【００１２】
また、ＦＩＧ．１６に示したように、ボディ１の軸孔２５近傍にボディ側ストッパー７が設けられている構成では、押し釦２の可動ストロークをできるだけ長く取るために、軸孔２５がボディ１の端面近傍に設けられているため、軸孔２５とボディ側ストッパー７との距離が短くなっている。そのため、押し釦２の自由状態の位置決め精度が悪くなる。また、コイルスプリング４のばね反力のトルクが大きくなると、それによる押し釦２の操作方向とは反対方向への荷重に対して、ボディ側ストッパー７及び押し釦側ストッパー６の強度が弱いという問題があった。
【発明の開示】
【００１３】
本発明は、上記問題を解消するものであり、押し釦のストロークが長くて使い易く、低コストの小型スイッチを提供することを目的とする。
【００１４】
また、本発明は、押し釦の位置決め精度がよく、十分なストッパーの強度を有する小型スイッチを提供することを目的とする。
【００１５】
請求項１の発明は、内部に収納室を形成している外郭ボディと、
前記ボディ内の収納室の対向する側壁面間に亘って配置され、コイル部と、このコイル部の両端に設けられた第１及び第２の可動接触部とを有するコイルスプリングと、
前記ボディに回動自在に支点が支持され、前記収納室内に位置する一端が前記コイル部に当接しており、自由状態時に該コイル部の弾性力によって押し上げられることにより他端が前記ボディの開口を通して前記ボディ外へ突出し、該他端がスイッチ動作時の操作部となる押し釦と、
前記収納室の対向する側壁面から突出して設けられた第１及び第２の導電部を有し、該第１の導電部は、自由状態時には前記コイルスプリングの第１の可動接触部と非接触であり、スイッチ動作時に前記押し釦の操作部が押下されることによって前記コイルスプリングが移動してその第１の可動接触部と接触し、該第２の導電部は、前記コイルスプリングの第２の可動接触部と常時接触している端子とを備えた小型スイッチにおいて、
前記ボディは、その両側面に前記押し釦の支点軸を回動自在に支持するための円弧縁と直線縁とから成る略半円形の孔を有し、この孔は、該ボディの開口の端縁近傍に、前記直線縁が該端縁に近接し、前記円弧縁が該端縁から離れる方向に形成されており、前記押し釦の支点軸は、該押し釦の両側面に前記略半円形の孔と同軸に形成されており、前記略半円形の孔より開き角度が小さい、扇形の第１の凸部を有し、この扇形の凸部を前記略半円形の孔に嵌合させることにより構成されている。
【００１６】
これにより、ボディに形成した略半円形の孔よりも開口端縁側の部分を押し釦の支点保持に使うことができ、従来のように固定金具を必要としなくなり、低コストとすることができる。また、押し釦に形成した扇形の第１の凸部を略半円形の孔に嵌合させて支持軸とし、この扇形の第１の凸部の開き角度を小さくすることにより、押し釦のストロークを長くすることができる。
【００１７】
請求項２の発明は、請求項１の発明において、前記押し釦は、前記ボディの略半円形の孔と同軸に形成された円形の第２の凸部をさらに有し、かつ、前記扇形の第１の凸部は前記第２の凸部上に形成されており、前記ボディは、該ボディに形成された略半円形の孔に連続する内面に、前記第２の凸部が嵌合される凹部を有している。これにより、ボディの凹部に押し釦の第２の凸部が嵌合されることで、凹部は押し釦がその支持軸と直交方向にずれるのを防止するストッパーとなり、また、円形の第２の凸部が略半円形の孔の円周面と接触するため、押し釦の回動動作が安定となる。
【００１８】
請求項３の発明は、請求項１の発明において、前記押し釦の支点軸としての第１の凸部は、該凸部を前記ボディの略半円形の孔に嵌合させるときに、嵌合動作に伴って該ボディの開口を拡げうるように、該凸部の端面にテーパー面を有している。これにより、押し釦をボディの開口内に挿入する作業が容易となる。
【００１９】
請求項４の発明は、請求項１の発明において、前記押し釦は、その支点軸から離れた位置で該押し釦の位置決めが行えるように、該支点軸から延設された第１のストッパーを有し、前記ボディは、前記コイルスプリングの付勢によってオフ方向に回動される前記押し釦の第１のストッパーが当接され、該押し釦の自由状態での位置決めを行う、該ボディに形成された第２のストッパーを有している。これにより、押し釦の支点軸から延設された第１のストッパーがボディに形成された第２のストッパーに当接することで、十分なストッパー強度が得られ、しかも、押し釦の抜け止めを図りつつ、押し釦の位置決めを行うので、その精度が良くなる。
【００２０】
請求項５の発明は、請求項１の発明において、前記第１のストッパーは、前記押し釦の支点軸から延設されたアームであり、前記第２のストッパーは、前記収納室内に突設され、前記アームを当接させる。これにより、支点軸からアーム先端までの距離が、従来に較べて長くなり、押し釦の自由状態時の位置決め精度が向上し、また、十分な強度を持つストッパーに構成できるので、スイッチの薄型化、小型化を行うことができる。
【００２１】
請求項６の発明は、請求項４の発明において、前記第１のストッパーは、前記押し釦の枢支点の反対側の端面から突出した突起であり、前記第２のストッパーは、前記ボディの端部内壁面に突設され、前記突起を当接させる。これにより、枢支点から第１のストッパーまでの距離を長く取ることができ、自由状態時の位置決め精度がさらに向上する。
【００２２】
請求項７の発明は、請求項４の発明において、前記第１のストッパー又は第２のストッパーのいずれかに弾性を持たせた。これにより、押し釦をボディにスナップフィット方式で組み込むことができる。
【００２３】
請求項８の発明は、請求項４の発明において、前記第１のストッパーは、該押し釦の両側面の略中央に、前記ボディの開口方向に開くように形成された凹部であり、前記第２のストッパーは、該ボディの両側内壁面に突設され、前記凹部に嵌入する凸部である。これにより、押し釦にストッパー用の凸部を形成しなくてよいため、部品形状がシンプルとなり、安価となる。
【００２４】
請求項９の発明は、請求項４の発明において、前記第１のストッパーは、該押し釦の両側面の略中央に、前記ボディの両側内壁面に向かって形成された凸部からなり、前記第２のストッパーは、該ボディの両側内壁面に形成され、前記凸部が嵌入するスリットの端部であり、前記スリットの端部に前記凸部が当接する。これにより、ボディ形成のための金型にアンダーカット部分がなくなり、製作が容易となる。
【図面の簡単な説明】
【００２５】
【図１】ＦＩＧ．１（ａ）は本発明の第１実施例による小型スイッチの前面から見た断面図、ＦＩＧ．１（ｂ）は同スイッチの側断面図、ＦＩＧ．１（ｃ）は同スイッチの押し釦を省いた上面図である。
【図２】ＦＩＧ．２は同スイッチのオン時の前面から見た断面図である。
【図３】ＦＩＧ．３（ａ）は同スイッチの前面図、ＦＩＧ．３（ｂ）は同スイッチの上面図である。
【図４】ＦＩＧ．４（ａ）は同スイッチのボディの斜視図、ＦＩＧ．４（ｂ）はボディの前面図、ＦＩＧ．４（ｃ）はボディの端面から見た断面図である。
【図５】ＦＩＧ．５はボディの押し釦支持部の上面図である。
【図６】ＦＩＧ．６はボディの押し釦支持部の立体図である。
【図７】ＦＩＧ．７は同スイッチの押し釦の斜視図である。
【図８】ＦＩＧ．８（ａ）は同押し釦の前面図、ＦＩＧ．８（ｂ）は同押し釦の側面図、ＦＩＧ．８（ｃ）は同押し釦の上面図である。
【図９】ＦＩＧ．９（ａ）は本発明の第２実施例による小型スイッチの前面から見た断面図、ＦＩＧ．９（ｂ）は同スイッチの左端面から見た断面図、ＦＩＧ．９（ｃ）は右端面から見た断面図、ＦＩＧ．９（ｄ）は押し釦を省いた上面図である。
【図１０】ＦＩＧ．１０は同スイッチのオン時における前面から見た断面図である。
【図１１】ＦＩＧ．１１（ａ）は本発明の第３実施例による小型スイッチの前面図、ＦＩＧ．１１（ｂ）は同スイッチの右側面図、ＦＩＧ．１１（ｃ）は同スイッチの上面図である。
【図１２】ＦＩＧ．１２は本発明の第４実施例による小型スイッチの前面から見た断面図である。
【図１３】ＦＩＧ．１３（ａ）は本発明の第５実施例による小型スイッチの前面から見た断面図、ＦＩＧ．１３（ｂ）は同スイッチの上面図、ＦＩＧ．１３（ｃ）はボディの部分斜視図である。
【図１４】ＦＩＧ．１４（ａ）は本発明の第６実施例による小型スイッチの前面から見た断面図、ＦＩＧ．１４（ｂ）は押し釦の斜視図、ＦＩＧ．１４（ｃ）は同スイッチの上面図、ＦＩＧ．１４（ｄ）はボディの部分斜視図である。
【図１５】ＦＩＧ．１５（ａ）は従来の小型スイッチの前面図、ＦＩＧ．１５（ｂ）は同スイッチの上面図、ＦＩＧ．１５（ｃ）は同スイッチの前面から見た断面図である。
【図１６】ＦＩＧ．１６（ａ）は本発明の前提となる小型スイッチの前面図、ＦＩＧ．１６（ｂ）は同スイッチの上面図、ＦＩＧ．１６（ｃ）は同スイッチの前面から見た断面図である。
【図１７】ＦＩＧ．１７は従来と本発明の前提による小型スイッチの動作を説明する図である。
【発明を実施するための最良の形態】
【００２６】
（第１実施例）
ＦＩＧ．１乃至ＦＩＧ．８は、本発明の第１実施例による小型スイッチを示す。これらの図において、このスイッチは、箱状体の外郭を形成するボディ１と、このボディ１の収納室３内に配置された第１及び第２の可動接触部４ａ，４ｂを有するコイルスプリング４と、ボディ１に回動自在に支点が支持された押し釦２と、収納室３の対向する側壁面から突出して設けられた第１の導電部１０ａ及び第２の導電部１０ｂを有する端子５ａ，５ｂとを備えている。
【００２７】
ボディ１は、樹脂成形された箱状体から形成され、上面に開口８を設け、内部空間を収納室３としている。押し釦２が操作されることにより、可動接触部４ａと第１の導電部１０ａとが接触／非接触となり、これにより、端子５ａ，５ｂ間が導通／非導通、すなわち、スイッチがオン／オフされる。
【００２８】
第１の導電部１０ａ及び第２の導電部１０ｂが収納室３の右端面及び左端面（ＦＩＧ．１において）に各々設けられ、第１の導電部１０ａ及び第２の導電部１０ｂは、縦片１５ａ，１５ｂを介して、ボディ１の端面より外部に突出している端子５ａ，５ｂと各々一体形成されている。導電部１０ａ，１０ｂの収納室３側の各一端は、下方に折り曲げられている。ボディ１と一体形成された絶縁部１２は、第１の導電部１０ａのボディ１側を覆っている。絶縁部１２のボディ１側から離れた先端側はテーパー面とされ、これにより、コイルスプリング４の第１の可動接触部４ａが、絶縁部１２と第１の導電部１０ａとの間をスライド移動し易いようにしている。
【００２９】
コイルスプリング４は、コイル部４ｃと、コイル部４ｃのばね線材の両端を延長してコイル部４ｃの軸方向に各々折り曲げた第１の可動接触部４ａと第２の可動接触部４ｂとから成る。このコイルスプリング４は、収納室３の両側内壁面間に亘って配置され、第２の可動接触部４ｂが第２の導電部１０ｂ上に接触し、スイッチオフ状態において第１の可動接触部４ａが絶縁部１２上に乗るように配設される。ＦＩＧ．１（ａ）はスイッチオフ状態を示しており、端子５ａ，５ｂ間は導通していない。
【００３０】
次に、押し釦２の支持構成について説明すると、押し釦２の両側面に備えられた軸１７が、ボディ１の両側壁面に設けられた略半円形の孔１６（以下、孔と略記する）に嵌合される。これにより、押し釦２は回動自在にボディ１に支持される。孔１６は、円弧縁と直線縁とから成り、ボディ１の開口８の端縁近傍に直線縁が位置し、円弧縁が端縁から離れる方向に形成されている。押し釦２の軸１７は、半円より開き角度の小さい扇形の第１の凸部からなり、押し釦２に設けられた円形の第２の凸部１９上に一体に形成されている。軸１７（第１の凸部）及び第２の凸部１９は同軸に形成されている。押し釦２は軸１７と孔１６の中心とが同軸となるようにボディ１に組み込まれる。押し釦２がボディ１に組み込まれたとき、軸１７が孔１６に嵌合され、このとき、円形の第２の凸部１９は、孔１６及びこの孔１６に隣接してボディ１の内壁面に設けられた略長方形の凹部２０（ＦＩＧ．５，６参照）に嵌合する。
【００３１】
押し釦２の構成を説明すると、押し釦２は、押下するための押下部２ａと、コイル部４ｃを押し下げるために収納室３側に略三角形状に形成されたコイル押し下げ部２２と、押下部２ａ及びコイル押し下げ部２２と回動の中心１３とを連結する棒体２３と（ＦＩＧ．７参照）、この棒体２３の一端に、押し釦２の回動半径に対して軸を垂直に形成された円柱体２４と、この円柱体２４が棒体２３から突出した部分である円形の第２の凸部１９と、この第２の凸部上に形成された軸１７と、中心１３から収納室３側に向かって形成されたストッパーアーム６（第１のストッパー）とから構成される。ここで、ＦＩＧ．８に示されるように、軸１７間の寸法ｅと、第２の凸部１９間の寸法ｆと、棒体２３の幅寸法ｇとの関係は、ｅ＞ｆ＞ｇとなる。
【００３２】
押し釦２が押し下げ操作されると、扇形の軸１７は孔１６の円周面に案内されて回動し、軸１７の中心１３が孔１６の直線縁に枢支され、軸１７の壁面１７ａが孔１６の直線縁に当接するまで回動する。押し釦２に押下力が作用していないときは、押し釦２は、コイルスプリング４の捩じりの復帰によって、押し釦２のコイル押し下げ部２２がコイル部４ｃと当接して上方に押し上げられ、ボディ１の開口８を挿通し、押下部２ａがボディ１の外部に突出している。
【００３３】
押し釦２の軸１７には、スイッチ組立時に該軸１７をボディ１の孔１６に容易に嵌合させることができるように、テーパー面１７ｂが形成されている。この組立時に、ボディ１の開口８端縁は撓んで拡がる。これを容易とするために、ボディ１の側面にはＵ型の切り欠き１ｄが設けられている。
【００３４】
押し釦２のストッパーアーム６は、押し釦２の自由状態時にボディ側ストッパー（第２のストッパー；図示なし）に当接する。これにより、押し釦２の自由状態の位置決めが行われる。なお、本実施例のスイッチは、押し釦２の押下時に、押し釦２が反時計回りに回動する右操作タイプである。
【００３５】
次に、上記のように構成されたスイッチのオン／オフ状態を説明する。ＦＩＧ．１（ａ）はスイッチオフ状態を、ＦＩＧ．２はスイッチオン状態を示す。押し釦２は、押下部２ａが押下されると、中心１３を枢支点として反時計方向に回動し、コイル押し下げ部２２がコイル部４ｃを収納室３の下方に押し付ける。コイル部４ｃが下方に移動するに連れて、コイルスプリング４は捩じられ、その第１の可動接触部４ａは絶縁部１２から離れて、第１の導電部１０ａ上に移動し、その第１の導電部１０ａの折り曲げられた傾斜片にコイルスプリング４の捩じりの復帰力によって押し付けられる。第２の可動接触部４ｂも、第２の導電部１０ｂの折り曲げられた傾斜片にコイルスプリング４の捩じりの復帰力によって押し付けられる。こうして、スイッチは、端子５ａ，５ｂ間が導通し、オン状態となる。一方、押し釦２への押下力が解除されると、コイル押し下げ部２２はコイルスプリング４の捩じりの復帰によって上方に押し上げられ、押下部２ａをボディ１の外部に突出させ、第１の可動接触部４ａは絶縁部１２に乗り上げる。第２の可動接触部４ｂは、導電部１０ｂ上の元の位置（平坦部）に戻る。
【００３６】
本実施例によるスイッチにおいては、ボディ１に形成された凹部２０の内壁面と孔１６の円周面の延長面とにより段付の溝１８が形成されている（ＦＩＧ．６参照）。この溝１８は、押し釦２をボディ１に組み込む際に、軸１７及び第２の凸部１９のガイドとなり、また、第２の凸部１９の壁面が溝１８と接触することにより、押し釦２が左右に振れることを防止するストッパーとなり、押し釦２の位置のずれを防止する。
【００３７】
また、ＦＩＧ．７に示されるように、扇形の軸１７の開き角度を小さくすることで、押し釦２のストロークを大きくすることができる。この場合、軸１７の壁面１７ａとボディ１の略半円形の孔１６の円周面とが接触する面積が小さくなり、その結果、回動動作が不安定になり易い。ところが、本実施例では、円形の第２の凸部１９の壁面が孔１６の円周面と接触しているため、回動動作が不安定になることはない。さらに、孔１６の開き角度を小さくして、例えば、１／４半円形（扇形）にまで小さくしても、安定した動作を行うことができる。また、孔１６はボディ１の外面に開口貫通していない穴であってもよい。請求項でいう略半円形の孔は、このような構成をも含む。
【００３８】
また、ＦＩＧ．５に示されるように、左右振れを防止するストッパーである段付の溝１８の幅寸法ｃと、ボディ１と円形の第２の凸部１９とのクリアランス寸法ｄとの関係は、左右の寸法ｃの合計＞左右のクリアランス寸法ｄの合計となるように形成されている。従って、第２の凸部１９の壁面は、段付の溝１８と常に接触することができ、それにより、押し釦２の回動動作が安定する。なお、ＦＩＧ．５において、押し釦２は断面して示している。また、押し釦２は、その押下部２ａに例えば、被検出物の作動片（図示なし）が当接してスイッチ動作を行う。そこで、押し釦２に対応するボディ１の開口８の端縁には、作動片と開口８の端縁との干渉を防止するための切り欠き１ｃが形成されている（ＦＩＧ．３（ａ）参照）。これにより、押し釦２のストロークをフルに活用することが可能となる。
【００３９】
（第２実施例）
ＦＩＧ．９，ＦＩＧ．１１は、本発明の第２実施例による小型スイッチを示す。このスイッチは、第１実施例と同様に、外郭を形成するボディ１と、第１及び第２の可動接触部４ａ，４ｂを有するコイルスプリング４と、ボディ１に回動自在に支点が支持された押し釦２と、第１及び第２の導電部１０ａ，１０ｂを有する端子５ａ，５ｂとを備えている。ボディ１と押し釦２とのストッパー構成を除く各要素は、第１実施例と同等であるので、同等の要素には同一の符号を付して説明を省略する（以下、同じ）。
【００４０】
ボディ１には、その底面から上方に伸びるようにストッパー７ａ（第２のストッパー）が設けられている。押し釦２には、その軸１７近傍から下方に向かって押し釦側ストッパーアーム６ａ（第１のストッパー）が形成されている。ストッパーアーム６ａは、ボディ側ストッパー７ａに当接することによって、押し釦２の自由状態の位置決めが行われる。なお、押し釦２の棒体２３とストッパーアーム６ａとの間は、ボディ側ストッパー７ａを逃げるための薄肉部２５とされている。
【００４１】
また、ボディ１には、その底面から上方に伸びるようにスプリングガイド１１ａ，１１ｂが設けられている。これによって、押し釦２の押下時に、コイルスプリング４の第１の可動接触部４ａ及び第２の可動接触部４ｂの位置を規制して、これら可動接触部４ａ，４ｂにおける第１の導体部１０ａ及び第２の導体部１０ｂへの押し付け力を確保している。本実施例では、ボディ側ストッパー７ａとスプリングガイド１１ａとは、１つの部材により構成されている。
【００４２】
押し釦２は、その押下力が解除されると、コイルスプリング４の捩じり状態の復帰によって、上方に押し上げられて時計方向に回動し、ストッパーアーム６ａが、ボディ側ストッパー７ａに当接することによって、押し釦２の自由状態の位置決めが行われる。
【００４３】
本実施例では、押し釦２の軸１７の中心１３からストッパーアーム６ａの先端までの距離Ａが、従来例に示した枢支点から押し釦側ストッパーまでの距離に較べて大幅に長くなる。このため、押し釦２の製造精度が向上し、押し釦２の自由状態の位置決め精度が良くなる。また、ストッパーアーム６ａによってスプリングの反力トルクが低減するため、ストッパー部が十分な強度を備え、且つ小型スイッチの薄型化、小型化が可能となる。
【００４４】
（第３実施例）
ＦＩＧ．１１は、本発明の第３実施例による小型スイッチを示す。本実施例の小型スイッチは、押し釦２がその押下時に時計方向に回動する左操作タイプである。その他の構成、動作は、前記実施例と同様であり、同一の要素には同一の符号を付し、説明は省略する。
【００４５】
（第４実施例）
ＦＩＧ．１２は、本発明の第４実施例による小型スイッチを示す。本実施例においては、押し釦２は、その回動中心１３の反対側端面に、ボディ１の端部内壁に向いて突設されたストッパーフック６ｂ（第１のストッパー）を有する。ストッパーフック６ｂは、切り欠き１４を設けることにより形成される。ボディ１は、このストッパーフック６ｂに対向する内壁上端に突設されたストッパー７ｂ（第２のストッパー）を有する。
【００４６】
この構成において、押し釦２は、押下されていないとき、コイルスプリング４の捩じり状態の復帰によって、上方に押し上げられ、時計方向に回動してきたストッパーフック６ｂが、ボディ側ストッパー７ｂの下面に当接する。これによって、押し釦２の自由状態の位置決めが行われる。この押し釦２に設けられた切り欠き１４は、押し釦２をボディ１にスナップフィット方式で組み込む際に、ストッパーフック６ｂに弾性を持たせるためのものである。本実施例では、押し釦２の回動中心１３からストッパーフック６ｂの先端までの距離を最も長くとることができるので、押し釦２の自由状態の位置決め精度をさらに向上させることができる。なお、本実施例では、押し釦２側に切り欠き１４を形成したが、ボディ１側に弾性を持たせるために切り欠きを形成してもよい。
【００４７】
（第５実施例）  ＦＩＧ．１３は、本発明の第５実施例による小型スイッチを示す。本実施例においては、押し釦２は、その両側面の略中央の上端面に、２ヶ所の凹部からなる押し釦側ストッパー６ｃ（第１のストッパー）を有している。ボディ１側のストッパ７ｃ（第２のストッパー）は、ＦＩＧ．１３（ｂ）（ｃ）に示すように、開口８の上端内壁の略中央付近に内方に突出し、上面にテーパー面を持つ突起とされている。このテーパー面があることにより、押し釦２を開口８を通してボディ１内に組み込む際に、挿入しやすくなる。
【００４８】
この構成において、押し釦２は、押下されていないとき、コイルスプリング４の捩じり状態の復帰によって上方に押し上げられ、時計方向に回動してきた押し釦側ストッパー６ｃの凹部が、ボディ側ストッパー７ｃの凸部に当接することによって、押し釦２の自由状態の位置決めが行われる。本実施例では、押し釦２にストッパー用の凸部を形成しなくてよいので、部品形状がシンプルとなり、製作コストを安価にすることができる。
【００４９】
（第６実施例）
ＦＩＧ．１４は、本発明の第６実施例による小型スイッチを示す。本実施例においては、押し釦２は、その両側面の略中央に、ボディ１の内壁に向かう２ヶ所の凸部からなる押し釦側ストッパー６ｄ（第１のストッパー）を有する。押し釦側ストッパー６ｄは、ＦＩＧ．１４（ｂ）に示すように、下面にテーパー面を持つ。このテーパー面があることにより、押し釦２を開口８を通してボディ１内に組み込む際に、挿入しやすくなる。凹部からなるボディ側ストッパー７ｄ（第２のストッパー）は、ＦＩＧ．１４（ｃ）（ｄ）に示すように、押し釦側ストッパー６ｄの回動の軌跡に合わせて形成したスリットの上端面によって構成される。
【００５０】
この構成において、押し釦２は、押下されていないとき、コイルスプリング４の捩じり状態の復帰によって上方に押し上げられ、時計方向に回動してきた押し釦側ストッパー６ｄが、スリットの端面であるボディ側ストッパー７ｄに当接することによって、押し釦２の自由状態の位置決めが行われる。本実施例においては、ボディ１を製造するための金型にアンダーカットがなくなるので、精度のよいストッパーを構成することができる。
【産業上の利用可能性】
【００５１】
電気接点の開閉を行う小型スイッチであって、携帯電話機その他の各種民生機器に利用可能であり、押し釦のストロークが長くて使い易いものとする。
【図１】
0004026498.tif 000002
【図２】
0004026498.tif 000003
【図３】
0004026498.tif 000004
【図４】
0004026498.tif 000005
【図５】
0004026498.tif 000006
【図６】
0004026498.tif 000007
【図７】
0004026498.tif 000008
【図８】
0004026498.tif 000009
【図９】
0004026498.tif 000010
【図１０】
0004026498.tif 000011
【図１１】
0004026498.tif 000012
【図１２】
0004026498.tif 000013
【図１３】
0004026498.tif 000014
【図１４】
0004026498.tif 000015
【図１５】
0004026498.tif 000016
【図１６】
0004026498.tif 000017
【図１７】
0004026498.tif 000018